(57)【要約】【課題】点火プラグの芯線などの導電部材の腐食を抑制できる温水装置を提供する。【解決手段】ケース１１は、内部と外部とを仕切る第１側壁１１ａ〜第４側壁１１ｄを有する。導電部材１４は、ケース１１の内部に位置するように第２側壁１１ｂに取り付けられ、かつ点火プラグ１４ａ、フレームロッド１４ｂおよび碍子部１４ｃを含む。庇部材１は、導電部材１４の上方において第２側壁１１ｂの壁面から起立した庇部１ａを有し、かつ壁面で発生したドレンが導電部材１４に滴下して付着することを抑制する。【選択図】図３
2018054150.tif 000002
【特許請求の範囲】
【請求項１】
加熱用の燃焼ガスを発生させる燃焼装置と、
前記燃焼装置の下方に設けられ、かつ前記燃焼ガスにより湯水を加熱する熱交換器と、を備え、
前記熱交換器は、
内部と外部とを仕切る壁面を有するケースと、
前記ケースの内部に位置するように前記壁面に取り付けられ、かつ点火プラグ、フレームロッド、バーナサーミスタおよびバーナセンサよりなる群から選択された１種以上を含む導電部材と、
前記壁面で発生したドレンが前記導電部材に付着することを抑制する庇部材と、を含み、
前記庇部材は、前記導電部材の上方において前記壁面から起立した庇部を有する、温水装置。
【請求項２】
前記熱交換器は、前記導電部材の上方に位置し、かつ湯水を流通させる吸熱パイプをさらに含み、
前記庇部は、前記吸熱パイプの下方に位置している、請求項１に記載の温水装置。
【請求項３】
前記ケースの前記壁面は前記ケースの外部から内部に向けて窪んだ凹部を有し、前記吸熱パイプの少なくとも一部が前記凹部に嵌っており、
前記導電部材は前記凹部の真下に位置している、請求項２に記載の温水装置。
【請求項４】
前記庇部が前記壁面から前記ケースの内部へ突き出す寸法は、前記凹部が前記壁面から前記ケースの内部へ突き出す寸法よりも大きい、請求項３に記載の温水装置。
【請求項５】
前記庇部よりも上方に位置する前記壁面と前記庇部との成す角度は９０°以下である、請求項１〜請求項４のいずれか１項に記載の温水装置。
【請求項６】
前記庇部は、前記ケースの前記壁面側に位置する基端部と、前記基端部よりも前記壁面から離れた先端部とを有し、
前記庇部は、前記壁面に直交する方向の縦断面において、前記基端部側から前記先端部に向かって連続的に上方に傾斜する形状を有している、請求項１〜請求項５のいずれか１項に記載の温水装置。
【請求項７】
前記庇部は、前記ケースの前記壁面側に位置する基端部と、前記基端部よりも前記壁面から離れた先端部と、前記基端部および前記先端部の間に位置する屈曲部とを有し、
前記庇部は、前記壁面に直交する方向の縦断面において、前記基端部から前記屈曲部までの第１の部分に対して前記屈曲部から前記先端部までの第２の部分が折れ曲がっており、かつ前記屈曲部から前記先端部に向かって連続的に上方に傾斜した形状を有している、請求項１〜請求項５のいずれか１項に記載の温水装置。
【請求項８】
前記庇部は、前記ケースの前記壁面側に位置する基端部と、前記基端部よりも前記壁面から離れた先端部とを有し、
前記庇部は、前記壁面に直交する方向の縦断面において、前記基端部から前記先端部までの間に下側に向かって突き出す湾曲形状を有している、請求項１〜請求項５のいずれか１項に記載の温水装置。
【請求項９】
前記庇部は、横方向に互いに対向する第１側端部と第２側端部とを有し、
前記庇部は、前記壁面に平行な方向の縦断面において、前記第１側端部側から前記第２側端部に向かって連続的に下方に傾斜した形状を有している、請求項１〜請求項８のいずれか１項に記載の温水装置。
【請求項１０】
前記庇部は、横方向に互いに対向する第１側端部および第２側端部と、前記第１側端部および前記第２側端部の間に位置する中間部とを有し、
前記庇部は、前記壁面に平行な方向の縦断面において、前記中間部から前記第１側端部に向かって連続的に下方に傾斜し、かつ前記中間部から前記第２側端部に向かって連続的に下方に傾斜した形状を有している、請求項１〜請求項８のいずれか１項に記載の温水装置。
【請求項１１】
前記導電部材は、碍子部を含み、
前記庇部の横方向の幅は前記碍子部の幅以上であり、かつ前記庇部は前記碍子部の幅全体上を覆っている、請求項１〜請求項１０のいずれか１項に記載の温水装置。
【請求項１２】
前記熱交換器は、前記導電部材を前記壁面に取り付ける固定部材をさらに含み、
前記庇部は、前記ケースの内部において前記固定部材の真上に位置している、請求項１〜請求項１１のいずれか１項に記載の温水装置。
【請求項１３】
前記庇部材は、前記庇部と、前記庇部の側部に接続された接続部とを有し、
前記庇部は、前記接続部と１つの板から構成され、かつ前記接続部に対して切起こされた構造を有し、
前記ケースは、前記導電部材を前記ケースの内部へ挿入するための貫通孔を有し、
前記接続部は前記貫通孔の側方において前記壁面に取り付けられており、かつ前記庇部は前記貫通孔の真上に位置している、請求項１〜請求項１２のいずれか１項に記載の温水装置。
【発明の詳細な説明】
【技術分野】
【０００１】
本発明は、温水装置に関するものであり、特に、点火プラグなどの導電部材を含む熱交換器を有する温水装置に関するものである。
【背景技術】
【０００２】
点火プラグを有する熱交換器は、たとえば実開昭６１−３９２５６号公報（特許文献１）、実開平１−１７８４５９号公報（特許文献２）などに開示されている。上記２つの公報においては、熱交換器のケースの壁面に点火プラグが取り付けられている。
【先行技術文献】
【特許文献】
【０００３】
【特許文献１】実開昭６１−３９２５６号公報
【特許文献２】実開平１−１７８４５９号公報
【発明の概要】
【発明が解決しようとする課題】
【０００４】
上記２つの公報に記載の構成では、熱交換器内で発生したドレンが点火プラグに滴下して付着する。これにより点火プラグの芯線が腐食するという問題がある。
【０００５】
本発明は、上記の課題に鑑みてなされたものであり、その目的は、点火プラグの芯線などの導電部材の腐食を抑制できる温水装置を提供することである。
【課題を解決するための手段】
【０００６】
本発明の温水装置は、燃焼装置と、熱交換器とを備えている。燃焼装置は、加熱用の燃焼ガスを発生させる。熱交換器は、燃焼装置の下方に設けられ、かつ燃焼ガスにより湯水を加熱する。熱交換器は、ケースと、導電部材と、庇部材とを含む。ケースは、内部と外部とを仕切る壁面を有する。導電部材は、ケースの内部に位置するように壁面に取り付けられ、かつ点火プラグ、フレームロッド、バーナサーミスタおよびバーナセンサよりなる群から選択された１種以上を含む。庇部材は、壁面で発生したドレンが導電部材に付着することを抑制する。庇部材は、導電部材の上方において壁面から起立した庇部を有する。
【０００７】
本発明の温水装置によれば、庇部材の庇部が導電部材の上方において壁面から起立しており、この庇部によりドレンが導電部材に滴下して付着することが抑制される。このため導電部材の腐食が抑制される。
【０００８】
上記の温水装置において、熱交換器は、導電部材の上方に位置し、かつ湯水を流通させる吸熱パイプをさらに含む。庇部は、吸熱パイプの下方に位置している。
【０００９】
特に湯水を流通させる吸熱パイプの部分においてドレンが生じやすい。このため吸熱パイプの下方であって導電部材の上方に庇部が位置していることによって導電部材へのドレンの滴下による付着をより効果的に抑制することができる。
【００１０】
上記の温水装置において、ケースの壁面はケースの外部から内部に向けて窪んだ凹部を有し、吸熱パイプの少なくとも一部が凹部に嵌っている。導電部材は凹部の真下に位置している。
【００１１】
このように吸熱パイプの少なくとも一部が凹部に嵌ることにより、吸熱パイプ内を流通する湯水がケース内の燃焼ガスから熱を吸収しやすくなる。これにより熱交換の効率が向上する。
【００１２】
上記の温水装置において、庇部が壁面からケースの内部へ突き出す寸法は、凹部が壁面からケースの内部へ突き出す寸法よりも大きい。
【００１３】
これによりケースの内部に突き出した凹部からドレンが下方に滴下した場合でも、庇部によりドレンの導電部材への付着が抑制される。
【００１４】
上記の温水装置において、庇部よりも上方に位置する壁面と庇部との成す角度は９０°以下である。
【００１５】
これにより庇部の上面にドレンが付着した場合でも、庇部の先端部からドレンが落ちにくくなる。これにより、ドレンの導電部材への付着がさらに抑制される。
【００１６】
上記の温水装置において、庇部は、ケースの壁面側に位置する基端部と、基端部よりも壁面から離れた先端部とを有している。庇部は、壁面に直交する方向の縦断面において、基端部側から先端部に向かって連続的に上方に傾斜する形状を有している。
【００１７】
これにより庇部の上面にドレンが付着した場合でも、庇部の先端部からドレンが落ちにくくなる。これにより、ドレンの導電部材への付着がさらに抑制される。
【００１８】
上記の温水装置において、庇部は、ケースの壁面側に位置する基端部と、基端部よりも壁面から離れた先端部と、基端部および先端部の間に位置する屈曲部とを有している。庇部は、壁面に直交する方向の縦断面において、基端部から屈曲部までの第１の部分に対して屈曲部から先端部までの第２の部分が折れ曲がっており、かつ屈曲部から先端部に向かって連続的に上方に傾斜した形状を有している。
【００１９】
これにより庇部にドレンを貯めやすくなり、庇部の先端部からドレンが溢れ落ちることが抑制される。また庇部の上面にドレンが付着した場合でも、庇部の先端部からドレンが落ちにくくなる。以上により、ドレンの導電部材への付着がさらに抑制される。
【００２０】
上記の温水装置において、庇部は、ケースの壁面側に位置する基端部と、基端部よりも壁面から離れた先端部とを有している。庇部は、壁面に直交する方向の縦断面において、基端部から先端部までの間に下側に向かって突き出す湾曲形状を有している。
【００２１】
このように庇部が湾曲形状を有することにより、庇部を加工する際に金型がへたり難くなる。また湾曲形状の部分にドレンを貯めやすくなり、庇部の先端部からドレンが溢れ落ちることが抑制される。
【００２２】
上記の温水装置において、庇部は、横方向に互いに対向する第１側端部と第２側端部とを有している。庇部は、壁面に平行な方向の縦断面において、第１側端部側から第２側端部に向かって連続的に下方に傾斜した形状を有している。
【００２３】
これにより庇部の横方向からドレンが落ちやすくなるため、導電部材へのドレンの付着がさらに抑制される。
【００２４】
上記の温水装置において、庇部は、横方向に互いに対向する第１側端部および第２側端部と、第１側端部および第２側端部の間に位置する中間部とを有している。庇部は、壁面に平行な方向の縦断面において、中間部から第１側端部に向かって連続的に下方に傾斜し、かつ中間部から第２側端部に向かって連続的に下方に傾斜した形状を有している。
【００２５】
これにより庇部の横方向からドレンが落ちやすくなり、庇部の先端部からドレンが落ちにくくなる。このため、導電部材へのドレンの付着がさらに抑制される。
【００２６】
上記の温水装置において、導電部材は、碍子部を含んでいる。庇部の横方向の幅は碍子部の幅以上であり、かつ庇部は碍子部の幅全体上を覆っている。
【００２７】
これによりドレンが碍子部に付着しにくくなり、導電部材に付着することが抑制される。
【００２８】
上記の温水装置において、熱交換器は、導電部材を壁面に取り付ける固定部材をさらに含んでいる。庇部は、ケースの内部において固定部材の真上に位置している。
【００２９】
これによりドレンが固定部材に付着することが抑制され、導電部材だけでなく固定部材の腐食も抑制される。
【００３０】
上記の温水装置において、庇部材は、庇部と、庇部の側部に接続された接続部とを有している。庇部は、接続部と１つの板から構成され、かつ接続部に対して切起こされた構造を有している。ケースは、導電部材をケースの内部へ挿入するための貫通孔を有している。接続部は貫通孔の側方において壁面に取り付けられており、かつ庇部は貫通孔の真上に位置している。
【００３１】
これにより１つの板材から庇部材が容易に形成される。
【発明の効果】
【００３２】
以上説明したように本発明によれば、点火プラグの芯線などの導電部材の腐食を抑制できる温水装置を実現することができる。
【図面の簡単な説明】
【００３３】
【図１】本発明の一実施の形態における温水装置の構成を模式的に示す図である。
【図２】本発明の一実施の形態における顕熱回収熱交換器および潜熱回収熱交換器の構成を概略的に示す斜視図である。
【図３】本発明の一実施の形態における顕熱回収熱交換器の構成を概略的に示す斜視図である。
【図４】本発明の一実施の形態における顕熱回収熱交換器の構成を概略的に示す断面図である。
【図５】図４における点火プラグ付近を拡大して示す拡大断面図である。
【図６】図５の矢印Ａ方向から見た図である。
【図７】庇部材の第１の変形例を示す図である。
【図８】庇部材の第２および第３の変形例を示す斜視図（Ａ）、（Ｂ）である。
【図９】庇部材の第４の変形例を示す側面図（Ａ）および斜視図（Ｂ）である。
【図１０】庇部材の第５の変形例を示す側面図（Ａ）および斜視図（Ｂ）である。
【図１１】庇部材の第６の変形例を示す斜視図である。
【図１２】庇部材の第７の変形例を示す斜視図である。
【図１３】導電部材としてのバーナサーミスタの構成を示す斜視図である。
【発明を実施するための形態】
【００３４】
以下、本発明の実施の形態について図に基づいて説明する。
まず、本発明の一実施の形態における温水装置の構成について図１を用いて説明する。
【００３５】
図１に示されるように、本実施の形態の温水装置１００は、顕熱回収熱交換器（一次熱交換器）１０と、潜熱回収熱交換器（二次熱交換器）２０と、燃焼装置（バーナー）３０と、チャンバ３１と、送風装置３２と、ダクト３３と、ベンチュリ３４、オリフィス３５、ガスバルブ３６、配管４０と、バイパス配管４１と、三方弁４２と、液液熱交換器４３と、温水配管４４と、筐体５０とを主に有している。筐体５０の内部に、上記の部品のうち筐体５０を除く全ての部品が配置されている。
【００３６】
ガスバルブ３６、オリフィス３５およびベンチュリ３４がこの順で配管に接続されている。この配管には筐体５０の外部から燃料ガスが供給可能である。この配管に供給された燃料ガスは、ガスバルブ３６とオリフィス３５とを通じてベンチュリ３４に流れる。
【００３７】
ガスバルブ３６は燃料ガスの流量を制御するためのものである。ベンチュリ３４は、燃料ガスと空気との混合ガスの流れを絞ることによって混合ガスの流速を増加させるものである。ベンチュリ３４は、筐体５０の外部から空気を取り入れられるように構成されている。ベンチュリ３４は、筐体５０の外部から取り入れた空気と、配管から供給された燃料ガスとを混合するように構成されている。
【００３８】
ベンチュリ３４は配管を通じて送風装置３２に接続されている。この配管により、ベンチュリ３４で混合された混合ガスは送風装置３２に送られる。送風装置３２は、混合ガスを燃焼装置３０へ送出するためのものである。送風装置３２は、ファンケースと、ファンケース内に配置された羽根車と、羽根車を回転させるための駆動源（モータなど）とを主に有している。
【００３９】
送風装置３２はチャンバ３１に接続されており、チャンバ３１は燃焼装置３０に接続されている。送風装置３２から送出された混合ガスは、チャンバ３１を通じて燃焼装置３０に送られる。
【００４０】
燃焼装置３０は、混合ガスを燃焼することにより加熱用の燃焼ガスを発生するためのものである。燃焼装置３０は燃焼ガスを下向きに供給する逆燃式の装置である。燃焼装置３０から吹出される混合ガスは、点火プラグ１４ａによって着火され、燃焼ガスとなる。点火プラグ１４ａは、後述するように顕熱回収熱交換器１０に設けられている。
【００４１】
燃焼ガスは顕熱回収熱交換器１０および潜熱回収熱交換器２０を順に通過するように、燃焼装置３０、顕熱回収熱交換器１０および潜熱回収熱交換器２０が接続されている。具体的には、燃焼装置３０の下方に顕熱回収熱交換器１０が取り付けられており、この顕熱回収熱交換器１０の下方に潜熱回収熱交換器２０が取り付けられている。
【００４２】
潜熱回収熱交換器２０にはダクト３３が接続されており、ダクト３３は筐体５０の外部へ延びている。これにより、潜熱回収熱交換器２０を通過した燃焼ガスは、ダクト３３を通じて筐体５０の外部へ排出される。
【００４３】
顕熱回収熱交換器１０および潜熱回収熱交換器２０の各々は、燃焼装置３０から供給された燃焼ガスと湯水との間で熱交換を行うことにより湯水を加熱するためのものである。
【００４４】
顕熱回収熱交換器１０は、燃焼装置３０が発生させた燃焼ガスの顕熱を回収するためのものである。潜熱回収熱交換器２０は、燃焼ガスの潜熱を回収するためのものである。この潜熱回収熱交換器２０には、たとえばプレート式熱交換器が用いられる。
【００４５】
顕熱回収熱交換器１０において入水する湯水の温度が低い場合、または燃焼装置３０の加熱量が少ない場合などには、顕熱回収熱交換器１０内において燃焼ガスの水蒸気が凝縮し、凝縮した水（ドレン）が発生する。また潜熱回収熱交換器２０においても、ドレンが発生する。これらのドレンはダクト３３の一部を通って、筐体５０の外部へ排水される。
【００４６】
顕熱回収熱交換器１０の吸熱パイプと潜熱回収熱交換器２０の吸熱パイプとは配管４０で接続されている。潜熱回収熱交換器２０よりも入水側の配管４０の部分と、顕熱回収熱交換器１０よりも出湯側の配管４０の部分とはバイパス配管４１によりバイパスされている。
【００４７】
顕熱回収熱交換器１０よりも出湯側の配管４０の部分とバイパス配管４１とは三方弁４２で接続されている。三方弁４２は、顕熱回収熱交換器１０から配管４０の出湯口への流路と、顕熱回収熱交換器１０からバイパス配管４１への流路とを切り替え可能に構成されている。
【００４８】
バイパス配管４１には液液熱交換器４３が接続されている。液液熱交換器４３には、温水端末に接続された温水配管４４が挿入されている。液液熱交換器４３は、顕熱回収熱交換器１０および潜熱回収熱交換器２０を通って温められた温水が液液熱交換器４３の内部に流れるように構成されている。この液液熱交換器４３の内部を流れる温水が温水配管４４の外側を流れることにより、液液熱交換器４３の内部を流れる温水と温水配管４４の内部を流れる温水との間で熱交換を行うことが可能となる。
【００４９】
上記の温水装置１００に供給された水は、顕熱回収熱交換器１０および潜熱回収熱交換器２０において燃焼ガスと熱交換をして湯となる。これにより温水装置１００によって湯を供給することが可能となる。
【００５０】
温水端末から戻ってきた温水は、温水配管４４を通って、液液熱交換器４３において顕熱回収熱交換器１０および潜熱回収熱交換器２０で温められた温水との熱交換により温められてから、再び温水端末に供給される。このようにして、温水装置１００によって温水端末に温水を供給することが可能となる。
【００５１】
次に、上記の温水装置１００に用いられる顕熱回収熱交換器１０の構成について図２〜図４を用いて説明する。
【００５２】
図２に示されるように、本実施の形態の顕熱回収熱交換器１０は、ケース１１と、ヘッダ１２と、吸熱パイプ（伝熱管：図３、図４）１３と、導電部材１４と、フィン１６（図４）と、押さえ部材１７と、固定部材１８とを主に有している。
【００５３】
ケース１１は、第１側壁１１ａ、第２側壁１１ｂ、第３側壁１１ｃおよび第４側壁１１ｄを有している。第１側壁１１ａ〜第４側壁１１ｄは、四角の枠状となるように接続されている。
【００５４】
第１側壁１１ａと第３側壁１１ｃとは互いに対面している。第２側壁１１ｂと第４側壁１１ｄとは互いに対面している。第１側壁１１ａ〜第４側壁１１ｄの各々は、ケース１１の内部と外部と仕切る壁面を有している。
【００５５】
上記枠形状を有するケース１１は上下に開口を有している。これによりケース１１の上側の開口を通ってケース１１の内部に燃焼ガスが給気可能である。またケース１１の下側の開口を通って燃焼ガスがケース１１の外部へ排気可能である。
【００５６】
第１側壁１１ａの外面にヘッダ１２が設けられている。第１側壁１１ａの外面に設けられたヘッダ１２には、入水側の継手１３ａおよび出湯側の継手１３ｂが取り付けられている。第３側壁１１ｃの外面にも図示しないヘッダ１２が設けられている。
【００５７】
図３に示されるように、第１側壁１１ａの外面に設けられたヘッダ１２と、第３側壁１１ｃの外面に設けられたヘッダ１２とは複数の吸熱パイプ１３で接続されている。複数の吸熱パイプ１３は、ケース１１の内部に位置する吸熱パイプ１３と、ケース１１の外部に位置する吸熱パイプ１３とを有している。
【００５８】
このヘッダ１２と吸熱パイプ１３とを流通する湯水の流れはたとえば以下のようになる。
【００５９】
入水側の継手１３ａから入水した湯水は、第１側壁１１ａの外面の最も一方端側に設けられたヘッダ１２を通じて、ケース１１の内部に位置する吸熱パイプ１３に入る。この吸熱パイプ１３内に入った湯水は、第３側壁１１ｃの外面に設けられた図示しないヘッダ１２に達する。第３側壁１１ｃの外面に設けられたヘッダ１２に達した湯水は、当該ヘッダ１２に接続された別の吸熱パイプ１３を通って第１側壁１１ａの外面に設けられたヘッダ１２に達する。
【００６０】
このように湯水は、第１側壁１１ａ側から第３側壁１１ｃ側へ向かった後に、第３側壁１１ｃ側から第１側壁１１ａ側へ折り返される。その後、湯水は、第３側壁１１ｃ側への折り返しと第１側壁１１ａ側への折り返しとが繰り返されるように流れる。
【００６１】
図２に示されるように、上記により第１側壁１１ａの外面の最も他方端側に設けられたヘッダ１２に到達した湯水は、第２側壁１１ｂの外面に設けられた吸熱パイプ１３を通って第３側壁１１ｃの外面に設けられたヘッダ１２に達する。
【００６２】
図３に示されるように、第３側壁１１ｃの外面に設けられたヘッダ１２に達した湯水は、第４側壁１１ｄの外面に設けられた吸熱パイプ１３を通って第１側壁１１ａの外面に設けられたヘッダ１２に達し、最後に、湯側の継手１３ｂから出湯する。
【００６３】
図４に示されるように、ケース１１の内部に位置する吸熱パイプ１３の外周面には、複数のフィン１６が接続されている。なお図３においては、説明の簡略化のため、フィンの図示は省略されている。
【００６４】
第２側壁１１ｂには、ケース１１の外部から内部に向かって窪んだ凹部１１ｂａが設けられている。ケース１１の外部であって第２側壁１１ｂ側に位置する吸熱パイプ１３の少なくとも一部は凹部１１ｂａに嵌っている。
【００６５】
また第４側壁１１ｄには、ケース１１の外部から内部に向かって窪んだ凹部１１ｄａが設けられている。ケース１１の外部であって第４側壁１１ｄ側に位置する吸熱パイプ１３の少なくとも一部は凹部１１ｄａに嵌っている。
【００６６】
図３および図４に示されるように、導電部材１４は、ケース１１の内部に位置するように、ケース１１の壁面に取り付けられている。導電部材１４は、たとえば第２側壁１１ｂを貫通するように第２側壁１１ｂに取り付けられている。
【００６７】
導電部材１４は、ケース１１の外部であって第２側壁１１ｂ側に位置する複数の吸熱パイプ１３のうち最も燃焼装置３０の近くに位置する吸熱パイプ１３（最上方吸熱パイプ１３）の真下に配置されている。導電部材１４は、ケース１１の外部であって第２側壁１１ｂ側に位置する２つの吸熱パイプ１３の間に配置されている。
【００６８】
導電部材１４は、点火プラグ、フレームロッド、バーナサーミスタおよびバーナセンサよりなる群から選択された１種以上を含んでいる。本実施の形態においては、導電部材１４は、たとえば１対の点火プラグ１４ａと、フレームロッド１４ｂとを含んでいる。
【００６９】
１対の点火プラグ１４ａは、点火スパークを生じさせることにより、燃焼装置３０から噴き出された混合ガスに火炎を生じさせるものである。フレームロッド１４ｂは、燃焼装置３０で生じた火炎の間に交流電圧を印加し火炎のイオン化による導電性、整流作用を利用して、フレームロッド１４ｂから火炎へ流れる直流電流を検知することにより火炎の有無を検出するためのものである。
【００７０】
導電部材１４は、碍子部１４ｃを含んでいる。本実施の形態においては、１対の点火プラグ１４ａと、フレームロッド１４ｂとの各々は、碍子部１４ｃを貫通しており、碍子部１４ｃに保持されている。１対の点火プラグ１４ａと、フレームロッド１４ｂとは、たとえば横方向（上下方向に直交する方向）に一列となるように配置されている。１対の点火プラグ１４ａと、フレームロッド１４ｂとの各々は、金属などの導電性の材質よりなっている。
【００７１】
碍子部１４ｃは、本体部１４ｃａと、フランジ部１４ｃｂとを有している。本体部１４ｃａは、１対の点火プラグ１４ａと、フレームロッド１４ｂとの各々を保持している。フランジ部１４ｃｂは、本体部１４ｃａの外周面から外方へ張り出している。
【００７２】
第２側壁１１ｂには、貫通孔（図示せず）が設けられている。碍子部１４ｃは、第２側壁１１ｂの貫通孔に挿入されている。この挿入状態において、１対の点火プラグ１４ａと、フレームロッド１４ｂとの各々の先端部は、ケース１１の内部に位置している。
【００７３】
上記の挿入状態において、碍子部１４ｃにおける本体部１４ｃａの一方端部はケース１１の内部に位置している。また本体部１４ｃａの他方端部はケース１１の外部に位置している。
【００７４】
上記の挿入状態において、フランジ部１４ｃｂは、ケース１１の外部に位置している。フランジ部１４ｃｂは、第２側壁１１ｂの貫通孔の開口寸法より大きい寸法を有している。
【００７５】
図２および図６に示されるように、押さえ部材１７は、フランジ部１４ｃｂを第２側壁１１ｂとは反対側から押さえている。押さえ部材１７がフランジ部１４ｃｂを押さえた状態で、押さえ部材１７は固定部材１８により第２側壁１１ｂに固定されている。
【００７６】
固定部材１８は、たとえばビス、ネジ、ボルトなどの螺合部材であってもよく、またピンなどであってもよい。固定部材１８は第２側壁１１ｂを貫通しており、固定部材１８の先端はケース１１の内部に位置している。
【００７７】
上記のように押さえ部材１７が、固定部材１８によりケース１１の外部から第２側壁１１ｂに固定されている。これにより、導電部材１４をケース１１にしっかりと固定することができる。なお図６に示されるように、押さえ部材１７と第２側壁１１ｂとの間にパッキン１９（図６）が挟まれている。このパッキン１９により、ケース１１の内部から燃焼ガスがケース１１の外部へ漏れ出すことが防止されている。固定部材１８は、このパッキン１９を貫通していてもよい。
【００７８】
図３および図４に示されるように、導電部材１４の真上には、庇部材１が配置されている。庇部材１は、第２側壁１１ｂの壁面で発生したドレンが導電部材１４に滴下して付着することを抑制するためのものである。
【００７９】
次に、上記の顕熱回収熱交換器１０に含まれる庇部材１について図５および図６を用いて説明する。
【００８０】
図５に示されるように、庇部材１は、庇部１ａと、接続部１ｂとを有している、庇部１ａは、導電部材１４の上方（真上）において第２側壁１１ｂの壁面から起立している。庇部１ａは、ケース１１の外部であって第２側壁１１ｂ側に位置する複数の吸熱パイプ１３のうち最も燃焼装置３０の近くに位置する吸熱パイプ１３（最上方吸熱パイプ１３）の下方（真下）に配置されている。つまり、最上方吸熱パイプ１３が嵌められる凹部１１ｂａの真下に配置されている。
【００８１】
庇部１ａの第２側壁１１ｂからケース１１の内部へ突き出す寸法ＬＡは、凹部１１ｂａが第２側壁１１ｂからケース１１の内部へ突き出す寸法ＬＢよりも大きい。また庇部１ａよりも上方に位置する第２側壁１１ｂの壁面と庇部１ａとの成す角度θは好ましくは９０°以下であり、より好ましくは９０°未満である。
【００８２】
庇部１ａは、ケース１１の第２側壁１１ｂ側に位置する基端部ＢＰと、基端部ＢＰよりも第２側壁１１ｂの壁面から離れた先端部ＴＰとを有している。庇部１ａは、第２側壁１１ｂの壁面に直交する方向の縦断面（上下方向に延びる切断面）において、基端部ＢＰ側から先端部ＴＰに向かって連続的に上方に傾斜する形状を有している。庇部１ａは、基端部ＢＰから先端部ＴＰまで直線状に延びている。庇部１ａの基端部ＢＰは導電部材１４（碍子部１４ｃ）に当接していてもよい。
【００８３】
接続部１ｂは、庇部１ａの基端部ＢＰ側に接続されている。庇部１ａと接続部１ｂとは、たとえば１つの板材を折り曲げることにより構成されている。接続部１ｂは、第２側壁１１ｂの壁面に取り付けられている。
【００８４】
図６に示されるように、庇部１ａの横方向の幅ＷＡは碍子部１４ｃの横方向の幅ＷＢ以上である。これにより、庇部１ａは碍子部１４ｃの幅ＷＢ全体の真上を覆っている。庇部１ａは、横方向に互いに対向する第１側端部ＥＰ１と第２側端部ＥＰ２とを有している。庇部１ａは、第１側端部ＥＰ１から第２側端部ＥＰ２にかけて、直線状に延びており、ケース１１の外部であって第２側壁１１ｂ側に位置する複数の吸熱パイプ１３と並走している。
【００８５】
庇部１ａの先端部ＴＰは、碍子部１４ｃの真上に位置している。庇部１ａの先端部ＴＰは、碍子部１４ｃよりもケース１１の内部に延びて、１対の点火プラグ１４ａ、フレームロッド１４ｂの真上に位置していてもよい。
【００８６】
次に、本実施の形態の作用効果について説明する。
本実施の形態によれば、図４に示されるように、庇部材１の庇部１ａが導電部材１４の上方において第２側壁１１ｂの壁面から起立している。このため、第２側壁１１ｂの壁面で生じたドレンが導電部材１４に滴下して付着することが庇部１ａにより抑制される。このためドレンの付着による導電部材１４における１対の点火プラグ１４ａおよびフレームロッド１４ｂの腐食を防止することができる。
【００８７】
図４に示されるように、庇部１ａは、ケース１１の外部であって第２側壁１１ｂ側に位置する複数の吸熱パイプ１３のうち最も燃焼装置３０の近くに位置する吸熱パイプ１３（最上方吸熱パイプ１３）の下方（真下）に配置されている。この最上方吸熱パイプ１３の付近において特にドレンが生じやすい。このため、最上方吸熱パイプ１３の下方であって導電部材１４の上方に庇部１ａが位置していることに導電部材１４へのドレンの滴下による付着をより効果的に抑制することができる。
【００８８】
図５に示されるように、吸熱パイプ１３の少なくとも一部が第２側壁１１ｂの凹部１１ｂａおよび第４側壁１１ｄの凹部１１ｄａに嵌っている。これにより、吸熱パイプ１３内を流通する湯水がケース１１内の燃焼ガスから熱を吸収しやすくなる。これにより熱交換の効率が向上する。
【００８９】
図５に示されるように、庇部１ａが第２側壁１１ｂからケース１１の内部へ突き出す寸法ＬＡは、凹部１１ｂａが第２側壁１１ｂからケース１１の内部へ突き出す寸法ＬＢよりも大きい。これによりケース１１の内部に突き出した凹部１１ｂａからドレンが下方に滴下した場合でも、庇部１ａによりドレンの導電部材１４への付着が抑制される。
【００９０】
図５に示されるように、庇部１ａよりも上方に位置する第２側壁１１ｂの部分と庇部１ａとの成す角度θは９０°以下である。これにより庇部１ａの先端部ＴＰからドレンが滴下しにくくなり、ドレンの導電部材１４への滴下による付着がさらに抑制される。
【００９１】
図５に示されるように、庇部１ａは、第２側壁１１ｂに直交する方向の縦断面において、基端部ＢＰ側から先端部ＴＰに向かって連続的に上方に傾斜する形状を有している。これにより庇部１ａの先端部ＴＰからドレンが滴下しにくくなり、ドレンの導電部材１４への滴下による付着がさらに抑制される。
【００９２】
図６に示されるように、庇部１ａの横方向の幅ＷＡは碍子部１４ｃの横方向の幅ＷＢ以上であり、かつ庇部１ａは碍子部１４ｃの幅ＷＢ全体の真上を覆っている。これによりドレンが碍子部１４ｃに付着しにくくなり、ドレンの導電部材１４への滴下による付着がさらに抑制される。
【００９３】
次に、庇部材１の各種変形例の構成について図７〜図１１を用いて説明する。
図７に示されるように、庇部材１の庇部１ａは、碍子部１４ｃの真上だけでなく、固定部材１８の真上に位置していてもよい。この場合、固定部材１８がケース１１の内部に突き出す部分の全体の真上を庇部１ａは覆っている。これによりドレンが固定部材１８に付着することも抑制され、導電部材１４だけでなく固定部材１８の腐食も抑制することができる。
【００９４】
図８（Ａ）に示されるように、庇部材１の庇部１ａは、基端部ＢＰと、先端部ＴＰと、屈曲部ＭＰとを有している。基端部ＢＰは、ケース１１の第２側壁１１ｂの壁面側に位置している。先端部ＴＰは、基端部ＢＰよりも第２側壁１１ｂの壁面から離れている。屈曲部ＭＰは、基端部ＢＰおよび先端部ＴＰの間に位置している。
【００９５】
庇部１ａは、基端部ＢＰから屈曲部ＭＰまでの第１の部分Ｐ１と、屈曲部ＭＰから先端部ＴＰまでの第２の部分Ｐ２とを有している。庇部１ａは、第２側壁１１ｂに直交する方向の縦断面において、第１の部分Ｐ１に対して第２の部分Ｐ２が折れ曲がっており、かつ第２の部分Ｐ２が屈曲部ＭＰから先端部ＴＰに向かって連続的に上方に傾斜した形状を有している。
【００９６】
これにより庇部１ａにドレンを貯めやすくなり、庇部１ａの先端部ＴＰからドレンが溢れ落ちることが抑制される。また庇部１ａの上面にドレンが付着した場合でも、庇部１ａの先端部ＴＰからドレンが落ちにくくなる。以上により、ドレンの導電部材１４への付着がさらに抑制される。
【００９７】
図８（Ｂ）に示されるように、庇部１ａは、ケース１１の第２側壁１１ｂ側に位置する基端部ＢＰと、基端部ＢＰよりも第２側壁１１ｂから離れた先端部ＴＰとを有している。庇部１ａは、第２側壁１１ｂに直交する方向の縦断面において、基端部ＢＰから先端部ＴＰまでの間に下側に向かって突き出す湾曲形状を有している。
【００９８】
このように庇部１ａが湾曲形状を有することにより、庇部１ａを加工する際に先端が湾曲した金型を用いることができるため、金型が加工によりへたり難くなる。また湾曲形状の部分にドレンを貯めやすくなり、庇部１ａの先端部ＴＰからドレンが溢れ落ちることが抑制される。
【００９９】
図９（Ａ）および（Ｂ）に示されるように、庇部１ａは、横方向に互いに対向する第１側端部ＥＰ１と第２側端部ＥＰ２とを有している。庇部１ａは、第２側壁１１ｂに平行な方向の縦断面において、第１側端部ＥＰ１側から第２側端部ＥＰ２に向かって連続的に下方に傾斜した形状を有している。
【０１００】
これにより庇部１ａの横方向からドレンが落ちやすくなり、庇部１ａの先端部ＴＰからドレンが滴下しにくくなるため、導電部材１４へのドレンの付着がさらに抑制される。
【０１０１】
図１０（Ａ）および（Ｂ）に示されるように、庇部１ａは、横方向に互いに対向する第１側端部ＥＰ１および第２側端部ＥＰ２と、第１側端部ＥＰ１および第２側端部ＥＰ２の間に位置する中間部ＣＰとを有している。庇部１ａは、第２側壁１１ｂに平行な方向の縦断面において、中間部ＣＰから第１側端部ＥＰ１に向かって連続的に下方に傾斜し、かつ中間部ＣＰから第２側端部ＥＰ２に向かって連続的に下方に傾斜した形状を有している。
【０１０２】
これにより庇部１ａの横方向からドレンが落ちやすくなり、庇部１ａの先端部ＴＰからドレンが滴下しにくくなるため、導電部材１４へのドレンの付着がさらに抑制される。
【０１０３】
図１１に示されるように、庇部材１は、庇部１ａと、庇部１ａの両側の側部の各々に接続された接続部１ｂとを有している。庇部１ａは、接続部１ｂと１つの板から構成され、かつ接続部１ｂに対して切起こされた構造を有している。ケース１１は、導電部材１４をケース１１の外部から内部へ挿入するための貫通孔１１ｂｂを有している。接続部１ｂは貫通孔１１ｂｂの側方において第２側壁１１ｂに取り付けられており、かつ庇部１ａは貫通孔１１ｂｂの真上に位置している。
【０１０４】
これにより１つの板材から容易に庇部材１を形成することができる。また、接続部１ｂを固定部材１８により第２側壁１１ｂに取り付けることもできる。
【０１０５】
図１２に示されるように、庇部１ａ（庇部材１）は、第２側壁１１ｂと１つの板材から構成されており、第２側壁１１ｂを切り起こした構成を有していてもよい。第２側壁１１ｂから庇部１ａを切り起こすことにより、第２側壁１１ｂに貫通孔１１ｂｂが形成されている。この貫通孔１１ｂｂに、導電部材１４がケース１１の外部から内部ヘ向けて挿入されてもよい。
【０１０６】
これにより第２側壁１１ｂとは別の部材として庇部材１を準備する必要がなくなり、部品点数を省略することができる。
【０１０７】
なおケース１１の内部の燃焼ガスがケース１１の外部へ漏れ出すことを防止するという観点においては、庇部材１が第２側壁１１ｂとは別部材よりなっていることが好ましい。
【０１０８】
なお導電部材１４は、点火プラグ１４ａおよびフレームロッド１４ｂに代えてまたは追加して、バーナサーミスタおよびバーナセンサの少なくともいずれかを含んでいてもよい。
【０１０９】
図１３に示されるように、バーナサーミスタ１４ｄは、サーミスタ素子（図示せず）と、保護管部１４ｄａと、導体１４ｄｂと、取付部１４ｄｃとを主に有している。サーミスタ素子は、温度変化に対して電気抵抗の変化の大きい抵抗体である。サーミスタ素子の電気抵抗を測定することにより、その電気抵抗から温度を知ることができる。保護管部１４ｄａは、サーミスタ素子を保護している。導体１４ｄｂは、サーミスタ素子に電気的に接続されている。取付部１４ｄｃは、保護管部１４ｄａに接続されており、バーナサーミスタをケース１１に取り付けるためのものである。
【０１１０】
このバーナサーミスタ１４ｄは、ケース１１に取り付けられた状態で、先端の保護管部１４ｄａがケース１１の内部に位置する。そしてケース１１の内部に位置する保護管部１４ｄａの真上に上記いずれかの庇部材１の庇部１ａが位置することになる。
【０１１１】
またバーナセンサがケース１１の内部に取り付けられていてもよく、このバーナセンサの材質はたとえばインコレルよりなっていてもよい。バーナセンサがケース１１の内部に取り付けられた場合、ケース１１の内部に位置するバーナセンサの真上に上記いずれかの庇部材１の庇部１ａが位置することになる。
【０１１２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１３】
１  庇部材、１ａ  庇部、１ｂ  接続部、１０  顕熱回収熱交換器、１１  ケース、１１ａ  第１側壁、１１ｂ  第２側壁、１１ｂａ，１１ｄａ  凹部、１１ｂｂ  貫通孔、１１ｃ  第３側壁、１１ｄ  第４側壁、１２  ヘッダ、１３  吸熱パイプ、１３ａ，１３ｂ  継手、１４  導電部材、１４ａ  点火プラグ、１４ｂ  フレームロッド、１４ｃ  碍子部、１４ｃａ  本体部、１４ｃｂ  フランジ部、１４ｄ  バーナサーミスタ、１４ｄａ  保護管部、１４ｄｂ  導体、１４ｄｃ  取付部、１６  フィン、１７  押さえ部材、１８  固定部材、１９  パッキン、２０  潜熱回収熱交換器、３０  燃焼装置、３０ａ  イグナイタ、３１  チャンバ、３２  送風装置、３３  ダクト、３４  ベンチュリ、３５  オリフィス、３６  ガスバルブ、４０  配管、４１  バイパス配管、４２  三方弁、４３  液液熱交換器、４４  温水配管、５０  筐体、１００  温水装置、ＢＰ  基端部、ＣＰ  中間部、ＥＰ１  第１側端部、ＥＰ２  第２側端部、ＭＰ  屈曲部、Ｐ１  第１の部分、Ｐ２  第２の部分、ＴＰ  先端部。
【図１】
2018054150.tif 000003
【図２】
2018054150.tif 000004
【図３】
2018054150.tif 000005
【図４】
2018054150.tif 000006
【図５】
2018054150.tif 000007
【図６】
2018054150.tif 000008
【図７】
2018054150.tif 000009
【図８】
2018054150.tif 000010
【図９】
2018054150.tif 000011
【図１０】
2018054150.tif 000012
【図１１】
2018054150.tif 000013
【図１２】
2018054150.tif 000014
【図１３】
2018054150.tif 000015